(57)【要約】【課題】  イメージデータの種類に応じた適切なズーム処理を施した表示イメージデータを映像信号に重畳することができ、ズーム処理を施したキャラクタイメージの品質劣化を防止することができるオンスクリーンディスプレイ装置を提供する。【解決手段】  キャラクタイメージ読書制御回路５からの指令により、キャラクタイメージメモリ１からイメージデータ情報２が二値データ用ズーム手段３と多値データ用ズーム手段４へ出力される。また同時に、キャラクタイメージ読書制御回路５からの指令により、イメージデータ情報２が二値データ又は多値データであることを示すズーム方式切替制御情報６がキャラクタイメージメモリ１からズーム方式二切替手段７へ出力される。ズーム方式二切替手段７はズーム方式切替制御情報６に従い二値データ用ズーム手段３と多値データ用ズーム手段４からの表示イメージデータを選択する。【選択図】    図１
2005203908.tif 000002
【特許請求の範囲】
【請求項１】
映像信号に表示イメージデータを重畳して画面上にキャラクタイメージを表示するオンスクリーンディスプレイ装置において、
イメージデータに対して二値データ用のズーム処理を施して表示イメージデータを出力する二値データ用ズーム手段と、
イメージデータに対して多値データ用のズーム処理を施して表示イメージデータを出力する多値データ用ズーム手段と、
イメージデータが二値データ又は多値データであることを示す教示情報を出力する教示情報出力手段と、
前記教示情報に応じて前記二値データ用ズーム手段と前記多値データ用ズーム手段からの表示イメージデータを選択する選択手段と、
前記選択手段により選択された表示イメージデータを映像信号に重畳する混合手段と、
を備え、イメージデータが二値データの場合には前記二値データ用ズーム手段からの表示イメージデータを映像信号に重畳し、イメージデータが多値データの場合には前記多値データ用ズーム手段からの表示イメージデータを映像信号に重畳することを特徴とするオンスクリーンディスプレイ装置。
【請求項２】
映像信号に表示イメージデータを重畳して画面上にキャラクタイメージを表示するオンスクリーンディスプレイ装置において、
イメージデータに対して二値データ用のズーム処理を施して表示イメージデータを出力する二値データ用ズーム手段と、
イメージデータに対して多値データ用のズーム処理を施して表示イメージデータを出力する多値データ用ズーム手段と、
イメージデータが二値データ又は多値データであることを示す教示情報を出力する教示情報出力手段と、
前記教示情報に応じて前記二値データ用ズーム手段あるいは前記多値データ用ズーム手段へのイメージデータの入力を選択する選択手段と、
前記前記二値データ用ズーム手段あるいは前記多値データ用ズーム手段からの表示イメージデータを映像信号に重畳する混合手段と、
を備え、イメージデータが二値データの場合には前記二値データ用ズーム手段からの表示イメージデータを映像信号に重畳し、イメージデータが多値データの場合には前記多値データ用ズーム手段からの表示イメージデータを映像信号に重畳することを特徴とするオンスクリーンディスプレイ装置。
【請求項３】
請求項１もしくは２のいずれかに記載のオンスクリーンディスプレイ装置は、イメージデータを格納するイメージデータ格納部と前記イメージデータ格納部からイメージデータを読み出す読出制御手段とを備えており、前記教示情報出力手段が前記読出制御手段により読み出されるイメージデータに応じた前記教示情報を出力することを特徴とするオンスクリーンディスプレイ装置。
【請求項４】
請求項３記載のオンスクリーンディスプレイ装置であって、前記教示情報がイメージデータに付加されて前記イメージデータ格納部に格納されており、前記教示情報出力手段は前記教示情報を読み出して前記選択手段へ出力することを特徴とするオンスクリーンディスプレイ装置。
【請求項５】
前記教示情報は、イメージデータが二値データ又は多値データであることを示す１ビットの信号であることを特徴とする請求項１ないし４のいずれかに記載のオンスクリーンディスプレイ装置。
【請求項６】
映像信号に表示イメージデータを重畳して画面上にキャラクタイメージを表示するオンスクリーンディスプレイ装置において、
イメージデータに対して二値データ用のズーム処理を施して表示イメージデータを出力するニ値データ用ズーム手段と、
イメージデータに対して輪郭強調処理が施されていない多値データ用のズーム処理を施して表示イメージデータを出力する輪郭強調不要多値データ用ズーム手段と、
イメージデータに対して輪郭強調処理が施されている多値データ用のズーム処理を施して表示イメージデータを出力する輪郭強調既済多値データ用ズーム手段と、
イメージデータが二値データ又は輪郭強調処理が施されていない多値データ又は輪郭強調処理が施されている多値データであることを示す教示情報を出力する教示情報出力手段と、
前記教示情報に応じて前記二値データ用ズーム手段と前記輪郭強調不要多値データ用ズーム手段と前記輪郭強調既済多値データ用ズーム手段からの表示イメージデータを選択する選択手段と、
前記選択手段により選択された表示イメージデータを映像信号に重畳する混合手段と、
を備え、イメージデータが二値データの場合には前記二値データ用ズーム手段からの表示イメージデータを映像信号に重畳し、イメージデータが輪郭強調処理が施されていない多値データの場合には前記輪郭強調不要多値データ用ズーム手段からの表示イメージデータを映像信号に重畳し、イメージデータが輪郭強調処理が施されている多値データの場合には前記輪郭強調既済多値データ用ズーム手段からの表示イメージデータを映像信号に重畳することを特徴とするオンスクリーンディスプレイ装置。
【請求項７】
映像信号に表示イメージデータを重畳して画面上にキャラクタイメージを表示するオンスクリーンディスプレイ装置において、
イメージデータに対して二値データ用のズーム処理を施して表示イメージデータを出力するニ値データ用ズーム手段と、
イメージデータに対して輪郭強調処理が施されていない多値データ用のズーム処理を施して表示イメージデータを出力する輪郭強調不要多値データ用ズーム手段と、
イメージデータに対して輪郭強調処理が施されている多値データ用のズーム処理を施して表示イメージデータを出力する輪郭強調既済多値データ用ズーム手段と、
イメージデータが二値データ又は輪郭強調処理が施されていない多値データ又は輪郭強調処理が施されている多値データであることを示す教示情報を出力する教示情報出力手段と、
前記教示情報に応じて前記二値データ用ズーム手段あるいは前記輪郭強調不要多値データ用ズーム手段あるいは前記輪郭強調既済多値データ用ズーム手段へのイメージデータの入力を選択する選択手段と、
前記二値データ用ズーム手段あるいは前記輪郭強調不要多値データ用ズーム手段あるいは前記輪郭強調既済多値データ用ズーム手段からの表示イメージデータを映像信号に重畳する混合手段と、
を備え、イメージデータが二値データの場合には前記二値データ用ズーム手段からの表示イメージデータを映像信号に重畳し、イメージデータが輪郭強調処理が施されていない多値データの場合には前記輪郭強調不要多値データ用ズーム手段からの表示イメージデータを映像信号に重畳し、イメージデータが輪郭強調処理が施されている多値データの場合には前記輪郭強調既済多値データ用ズーム手段からの表示イメージデータを映像信号に重畳することを特徴とするオンスクリーンディスプレイ装置。
【請求項８】
請求項６もしくは７のいずれかに記載のオンスクリーンディスプレイ装置は、イメージデータを格納するイメージデータ格納部と前記イメージデータ格納部からイメージデータを読み出す読出制御手段とを備えており、前記教示情報出力手段が前記読出制御手段により読み出されるイメージデータに応じた前記教示情報を出力することを特徴とするオンスクリーンディスプレイ装置。
【請求項９】
請求項８記載のオンスクリーンディスプレイ装置であって、前記教示情報がイメージデータに付加されて前記イメージデータ格納部に格納されており、前記教示情報出力手段は前記教示情報を読み出して前記選択手段へ出力することを特徴とするオンスクリーンディスプレイ装置。
【請求項１０】
前記教示情報は、イメージデータが二値データ又は多値データであることを示す１ビットの信号とイメージデータが輪郭強調処理が施されているデータであるか否かを示す１ビットの信号からなることを特徴とする請求項６ないし９のいずれかに記載のオンスクリーンディスプレイ装置。
【発明の詳細な説明】
【技術分野】
【０００１】
本発明は、映像信号に様々な文字や図形、絵からなる表示イメージデータ（ＯＳＤ信号）を重畳して画面上にキャラクタイメージを表示するオンスクリーンディスプレイ装置に関する。
【背景技術】
【０００２】
近年、固体撮像素子で光電変換した映像信号をデジタルデータに変換して、電気的に書き換え可能なメモリカードや磁気的に記録再生が可能な磁気ディスクメモリなどの記録媒体に記録するデジタルカメラが普及してきており、２００３年の日本国内の総出荷数は約２４００万と出荷台数では銀塩カメラを抜く勢いである。
【０００３】
このような従来のデジタルカメラとしては、従来から、ユーザの使い勝手を考慮して、モニター用ディスプレイとして接続した例えばテレビジョン受信機の画面上に、オンスクリーンディスプレイ（以下、ＯＳＤと略記する。）方式により、機能説明や操作手順などを示す様々な文字や図形からなるキャラクタイメージを映像に重畳して表示するためのオンスクリーンディスプレイ装置（以下、ＯＳＤと略記する。）が内蔵されているものが、多く市場に出回っている。
【０００４】
以下、ＯＳＤ装置を内蔵したデジタルスチルカメラについて説明する。図７はデジタルスチルカメラの構成例を示すブロック図である。図７に示すようなデジタルスチルカメラにより、被写体を撮像する場合は、その被写体からの光に基づいて固体撮像素子２１で取り込んだ映像信号を、信号処理回路２２で輝度色差信号に変換し、メモリコントロール回路２３を介して、データ圧縮伸長回路２４で圧縮し、デジタルデータとしてメモリカード２５に記録する。
【０００５】
撮影中の映像信号や記録した映像信号の再生画像を表示する場合は、信号処理回路２２で変換した映像信号、またはメモリカード２５から読み出してメモリコントロール回路２３を介してデータ圧縮伸長回路２４で伸長して得られた映像信号に、ＯＳＤ回路２６でＯＳＤ信号を重畳した後、ＲＧＢデコーダ２７でＲＧＢ変換して、デジタルスチルカメラの画像表示部２８に表示するか、ビデオエンコーダ３０で放送方式に則ったビデオ信号に変換し、ビデオ出力端子３１を通じて、そのビデオ出力端子３１に接続されたテレビジョン受信機３２の画面上に表示する。なお、ＭＰＵ（マイクロプロセッサユニット）２９はデジタルスチルカメラ全体のシーケンスを制御する。
【０００６】
このように、デジタルスチルカメラには、撮影時は記録可能枚数やバッテリ残量等を、再生時は記録日時等を、あるいは各種の設定等を映像画面中に表示するため、ＯＳＤ装置を用いて、映像信号にＯＳＤ信号を混合して合成表示する機能が内蔵されている。
【０００７】
しかし、デジタルスチルカメラは何処でも携帯して使えるため、この携帯性を利用して、例えば、デジタルスチルカメラを国外に持ち出し、そのデジタルスチルカメラを国内とは異なる放送方式のテレビジョン受信機に接続して、内蔵のＯＳＤ装置を用いて、テレビジョン画面上に様々な文字や図形からなるキャラクタイメージを重畳してＯＳＤ表示したい場合がある。
【０００８】
このような用途に対応するために、ビデオエンコーダ３０が複数の放送方式に対応し、出力フォーマットを設定してビデオエンコーダ３０の動作を切り換えることにより、異なる放送方式に対応するビデオ信号を出力する機能を備えたものがあり、通常の映像信号については、ビデオエンコーダ３０の動作を切り換えることで複数の放送方式に対応してテレビジョン受信機３２の画面上に表示することができるが、上記のようなデジタルスチルカメラに内蔵されたＯＳＤ装置では、放送方式に関係なく、キャラクタイメージメモリがひとつで、これを読み出す制御も一定なので、ＯＳＤ表示については、その表示が放送方式が異なれば歪んでしまうという問題を有していた。
【０００９】
そこで、この問題点を解決するために次のようなＯＳＤ装置が従来より提案されている（例えば、特許文献１参照。）。図８は、従来のＯＳＤ装置の構成例を示すブロック図である。図８において、フォーマット設定手段４５は放送方式を設定されてＯＳＤ装置の動作モードを規定する。ＭＰＵ２９は、ＯＳＤ装置を含めたデジタルスチルカメラ全体のシーケンスを制御する。ＯＳＤに係わる制御としては、表示するキャラクタイメージ及びその表示位置等を指定するＯＳＤ表示情報をビデオメモリ４１に供給し、ＯＳＤ表示の許可／禁止等のＯＳＤ表示制御をキャラクタイメージ読出制御回路４３に指令する。
【００１０】
ビデオメモリ４１は、ＭＰＵ２９から供給されたＯＳＤ表示情報が格納され、キャラクタイメージ読出制御回路４３で読み出される。キャラクタイメージ読出制御回路４３は、フォーマット設定手段４５からの放送方式情報及びＭＰＵ２９からの指令に基づき、ビデオメモリ４１に格納されたＯＳＤ表示情報を読み出す。
【００１１】
さらにキャラクタイメージ読出制御回路４３は、読み出したＯＳＤ表示情報に基づき、指定された位置に指定されたキャラクタイメージを表示するように、キャラクタイメージメモリ４２からイメージデータ情報４７を読み出すとともに、イメージデータのフォーマットに合わせてズーム回路４６を制御する。
【００１２】
キャラクタイメージメモリ４２には、デジタルスチルカメラとして対応する放送方式の数にかかわらず、所定の一放送方式に対応させてＯＳＤ表示するのに必要な１セット分の全ての文字や図形のイメージデータ（キャラクタイメージ）が格納されている。
【００１３】
ズーム回路４６は、キャラクタイメージ読出制御回路４３の制御に基づき、キャラクタイメージメモリ４２から読み出されたイメージデータ情報４７を放送方式に合わせて間引きまたは補間してＯＳＤ信号（表示イメージデータ）４８を出力する。混合回路４４は、入力された映像信号と、ズーム回路４６から出力されたＯＳＤ信号４８を混合して、ＯＳＤ信号を重畳した映像信号（映像＋ＯＳＤ）を出力する。
【００１４】
以上のように構成されたＯＳＤ装置は、フォーマット設定手段４５で設定した放送方式に応じて、キャラクタイメージメモリ４２から読み出した文字や図形のイメージデータを、ズーム回路４６で間引きまたは補間することにより、各放送方式に適合した表示イメージデータを生成し、その表示イメージデータに基づいてＯＳＤ表示することができる。
【００１５】
しかしながら、上記した従来のＯＳＤ装置のズーム回路はひとつであり、全ての入力イメージデータに対して一定のズーム処理を行うため、文字データ等の二値データも自然画像等の多値データも同じズーム処理がなされる。
【００１６】
例えば、図８のズーム回路４６にて、バイリニアやバイキュービック等の手法のズーム回路が使用された場合、ズーム回路４６に入るイメージデータが自然画像等の多値データである場合には、ズーム回路４６から出力される表示イメージデータは綺麗な多値のイメージデータになるが、イメージデータが文字データ等の二値データである場合には、ズーム回路４６から出力される表示イメージデータは二値データではなくなってしまう。
【００１７】
また、図８のズーム回路４６にて、ニアレストネイバー等の手法のズーム回路が使用された場合、ズーム回路４６に入るイメージデータが二値データである場合には、ズーム回路から出力される表示イメージデータも二値データとなるが、ズーム回路４６に入るイメージデータが多値データである場合には、ズーム回路４６から出力される表示イメージデータはバイリニアやバイキュービック等の手法を用いた場合よりも画像品質が低下したイメージデータとなる。
【特許文献１】特開２００２−１１２１３７号公報
【発明の開示】
【発明が解決しようとする課題】
【００１８】
本発明は、上記問題点に鑑み、ズーム処理を施した表示イメージデータ（ＯＳＤ信号）を映像信号に重畳するに際し、イメージデータが二値データの場合には二値データ用のズーム処理を施した表示イメージデータを映像信号に重畳し、イメージデータが多値データの場合には多値データ用のズーム処理を施した表示イメージデータを映像信号に重畳することにより、イメージデータの種類に応じた適切なズーム処理を施した表示イメージデータを映像信号に重畳することができ、ズーム処理を施したキャラクタイメージ（表示イメージ）の品質劣化を防止することができるオンスクリーンディスプレイ装置を提供することを目的とする。
【００１９】
また、本発明は、ズーム処理を施した表示イメージデータを映像信号に重畳するに際し、イメージデータが二値データの場合には二値データ用のズーム処理を施した表示イメージデータを映像信号に重畳し、イメージデータが輪郭強調処理が施されていない多値データの場合には輪郭強調処理が施されていない多値データ用のズーム処理を施した表示イメージデータを映像信号に重畳し、イメージデータが輪郭強調処理が施されている多値データの場合には輪郭強調処理が施されている多値データ用のズーム処理を施した表示イメージデータを映像信号に重畳することにより、イメージデータの種類に応じた適切なズーム処理を施した表示イメージデータを映像信号に重畳することができ、ズーム処理を施したキャラクタイメージの品質劣化を防止することができるオンスクリーンディスプレイ装置を提供することを目的とする。
【課題を解決するための手段】
【００２０】
本発明の請求項１記載のオンスクリーンディスプレイ装置は、映像信号に表示イメージデータを重畳して画面上にキャラクタイメージを表示するオンスクリーンディスプレイ装置において、イメージデータに対して二値データ用のズーム処理を施して表示イメージデータを出力する二値データ用ズーム手段と、イメージデータに対して多値データ用のズーム処理を施して表示イメージデータを出力する多値データ用ズーム手段と、イメージデータが二値データ又は多値データであることを示す教示情報を出力する教示情報出力手段と、前記教示情報に応じて前記二値データ用ズーム手段と前記多値データ用ズーム手段からの表示イメージデータを選択する選択手段と、前記選択手段により選択された表示イメージデータを映像信号に重畳する混合手段と、を備え、イメージデータが二値データの場合には前記二値データ用ズーム手段からの表示イメージデータを映像信号に重畳し、イメージデータが多値データの場合には前記多値データ用ズーム手段からの表示イメージデータを映像信号に重畳することを特徴とする。
【００２１】
また、本発明の請求項２記載のオンスクリーンディスプレイ装置は、映像信号に表示イメージデータを重畳して画面上にキャラクタイメージを表示するオンスクリーンディスプレイ装置において、イメージデータに対して二値データ用のズーム処理を施して表示イメージデータを出力する二値データ用ズーム手段と、イメージデータに対して多値データ用のズーム処理を施して表示イメージデータを出力する多値データ用ズーム手段と、イメージデータが二値データ又は多値データであることを示す教示情報を出力する教示情報出力手段と、前記教示情報に応じて前記二値データ用ズーム手段あるいは前記多値データ用ズーム手段へのイメージデータの入力を選択する選択手段と、前記前記二値データ用ズーム手段あるいは前記多値データ用ズーム手段からの表示イメージデータを映像信号に重畳する混合手段と、を備え、イメージデータが二値データの場合には前記二値データ用ズーム手段からの表示イメージデータを映像信号に重畳し、イメージデータが多値データの場合には前記多値データ用ズーム手段からの表示イメージデータを映像信号に重畳することを特徴とする。
【００２２】
また、本発明の請求項３記載のオンスクリーンディスプレイ装置は、請求項１もしくは２のいずれかに記載のオンスクリーンディスプレイ装置であって、イメージデータを格納するイメージデータ格納部と前記イメージデータ格納部からイメージデータを読み出す読出制御手段とを備えており、前記教示情報出力手段が前記読出制御手段により読み出されるイメージデータに応じた前記教示情報を出力することを特徴とする。
【００２３】
また、本発明の請求項４記載のオンスクリーンディスプレイ装置は、請求項３記載のオンスクリーンディスプレイ装置であって、前記教示情報がイメージデータに付加されて前記イメージデータ格納部に格納されており、前記教示情報出力手段は前記教示情報を読み出して前記選択手段へ出力することを特徴とする。
【００２４】
また、本発明の請求項５記載のオンスクリーンディスプレイ装置は、請求項１ないし４のいずれかに記載のオンスクリーンディスプレイ装置であって、前記教示情報は、イメージデータが二値データ又は多値データであることを示す１ビットの信号であることを特徴とする。
【００２５】
また、本発明の請求項６記載のオンスクリーンディスプレイ装置は、映像信号に表示イメージデータを重畳して画面上にキャラクタイメージを表示するオンスクリーンディスプレイ装置において、イメージデータに対して二値データ用のズーム処理を施して表示イメージデータを出力するニ値データ用ズーム手段と、イメージデータに対して輪郭強調処理が施されていない多値データ用のズーム処理を施して表示イメージデータを出力する輪郭強調不要多値データ用ズーム手段と、イメージデータに対して輪郭強調処理が施されている多値データ用のズーム処理を施して表示イメージデータを出力する輪郭強調既済多値データ用ズーム手段と、イメージデータが二値データ又は輪郭強調処理が施されていない多値データ又は輪郭強調処理が施されている多値データであることを示す教示情報を出力する教示情報出力手段と、前記教示情報に応じて前記二値データ用ズーム手段と前記輪郭強調不要多値データ用ズーム手段と前記輪郭強調既済多値データ用ズーム手段からの表示イメージデータを選択する選択手段と、前記選択手段により選択された表示イメージデータを映像信号に重畳する混合手段と、を備え、イメージデータが二値データの場合には前記二値データ用ズーム手段からの表示イメージデータを映像信号に重畳し、イメージデータが輪郭強調処理が施されていない多値データの場合には前記輪郭強調不要多値データ用ズーム手段からの表示イメージデータを映像信号に重畳し、イメージデータが輪郭強調処理が施されている多値データの場合には前記輪郭強調既済多値データ用ズーム手段からの表示イメージデータを映像信号に重畳することを特徴とする。
【００２６】
また、本発明の請求項７記載のオンスクリーンディスプレイ装置は、映像信号に表示イメージデータを重畳して画面上にキャラクタイメージを表示するオンスクリーンディスプレイ装置において、イメージデータに対して二値データ用のズーム処理を施して表示イメージデータを出力するニ値データ用ズーム手段と、イメージデータに対して輪郭強調処理が施されていない多値データ用のズーム処理を施して表示イメージデータを出力する輪郭強調不要多値データ用ズーム手段と、イメージデータに対して輪郭強調処理が施されている多値データ用のズーム処理を施して表示イメージデータを出力する輪郭強調既済多値データ用ズーム手段と、イメージデータが二値データ又は輪郭強調処理が施されていない多値データ又は輪郭強調処理が施されている多値データであることを示す教示情報を出力する教示情報出力手段と、前記教示情報に応じて前記二値データ用ズーム手段あるいは前記輪郭強調不要多値データ用ズーム手段あるいは前記輪郭強調既済多値データ用ズーム手段へのイメージデータの入力を選択する選択手段と、前記二値データ用ズーム手段あるいは前記輪郭強調不要多値データ用ズーム手段あるいは前記輪郭強調既済多値データ用ズーム手段からの表示イメージデータを映像信号に重畳する混合手段と、を備え、イメージデータが二値データの場合には前記二値データ用ズーム手段からの表示イメージデータを映像信号に重畳し、イメージデータが輪郭強調処理が施されていない多値データの場合には前記輪郭強調不要多値データ用ズーム手段からの表示イメージデータを映像信号に重畳し、イメージデータが輪郭強調処理が施されている多値データの場合には前記輪郭強調既済多値データ用ズーム手段からの表示イメージデータを映像信号に重畳することを特徴とする。
【００２７】
また、本発明の請求項８記載のオンスクリーンディスプレイ装置は、請求項６もしくは７のいずれかに記載のオンスクリーンディスプレイ装置であって、イメージデータを格納するイメージデータ格納部と前記イメージデータ格納部からイメージデータを読み出す読出制御手段とを備えており、前記教示情報出力手段が前記読出制御手段により読み出されるイメージデータに応じた前記教示情報を出力することを特徴とする。
【００２８】
また、本発明の請求項９記載のオンスクリーンディスプレイ装置は、請求項８記載のオンスクリーンディスプレイ装置であって、前記教示情報がイメージデータに付加されて前記イメージデータ格納部に格納されており、前記教示情報出力手段は前記教示情報を読み出して前記選択手段へ出力することを特徴とする。
【００２９】
また、本発明の請求項１０記載のオンスクリーンディスプレイ装置は、請求項６ないし９のいずれかに記載のオンスクリーンディスプレイ装置であって、前記教示情報は、イメージデータが二値データ又は多値データであることを示す１ビットの信号とイメージデータが輪郭強調処理が施されているデータであるか否かを示す１ビットの信号からなることを特徴とする。
【発明の効果】
【００３０】
本発明によれば、イメージデータの種類に応じた適切なズーム処理を施した表示イメージデータを映像信号に重畳することができ、ズーム処理を施したキャラクタイメージの品質劣化を防止することが可能となる。
【００３１】
また、輪郭強調処理を予め施したイメージデータを用いることにより輪郭強調回路を用意する必要がなくなる。また、二値データ、輪郭強調不要多値データ、輪郭強調既済多値データといったデータの種類に応じた適切なズーム処理を施した表示イメージデータを映像信号に重畳することができ、ズーム処理を施したキャラクタイメージの品質劣化を防止することが可能となる。
【００３２】
したがって、本発明によれば、異なる放送方式においても、二値データ・多値データといったデータの価値を壊すことなく、同等な画像品質で同等な形状及び大きさのキャラクタイメージを得ることができる。また本発明は、デジタルスチルカメラシステム以外に、デジタルビデオカメラ、ＤＶＤプレイヤー等のＯＳＤ装置部位にも応用できる。
【発明を実施するための最良の形態】
【００３３】
以下、本発明の実施の形態に係るオンスクリーンディスプレイ装置（ＯＳＤ装置）について、図面を参照しながら具体的に説明する。
（実施の形態１）
図１は本実施の形態１におけるＯＳＤ装置の要部の構成例を示すブロック図であり、図８に基づいて説明したフォーマット設定手段、ＭＰＵ、ビデオメモリ、混合回路（混合手段）については省略している。図１において、キャラクタイメージメモリ（イメージデータ格納部）１は読み出しと書き込みが可能なメモリであり、キャラクタイメージ情報が格納されている。
【００３４】
ここで、本実施の形態１におけるキャラクタイメージ情報のフォーマットについて図２を用いて説明する。図２に示すように、キャラクタイメージ情報は文字や図形のイメージデータ情報２および、イメージデータが二値データ又は多値データであることを示す教示情報としてのズーム方式切替制御情報６からなる。このように本実施の形態１では、イメージデータにズーム方式切替制御情報（教示情報）が付加されている。
【００３５】
また、図３はキャラクタイメージ情報の一例を示す。図３に示す例では、イメージデータ情報２は二値のイメージデータ９である。また、ズーム方式切替制御情報６はそのイメージデータが二値データであることを示す情報８であり、ここでは１ビットの信号である。このようにイメージデータが二値データ又は多値データであることを示す情報としては、１ビットの情報を用いることが好ましい。なお、無論、複数ビットの情報であっても実施可能である。
【００３６】
キャラクタイメージ読書制御回路５は、キャラクタイメージメモリ１へのデータの読書を制御する。また、キャラクタイメージ読書制御回路５は、二値データ用ズーム手段３と多値データ用ズーム手段４へはイメージデータ情報２のみが入力され、ズーム方式二切替手段７へはその読み出したイメージデータ情報２に付加されているズーム方式切替制御情報６のみが入力されるようにキャラクタイメージメモリ１を制御する。
【００３７】
本実施の形態１では、キャラクタイメージ読書制御回路５が、イメージデータが二値データ又は多値データであることを示す教示情報としてのズーム方式切替制御情報６を出力する教示情報出力手段および、イメージデータ格納部としてのキャラクタイメージメモリ１からイメージデータを読み出す読出制御手段に相当する。
【００３８】
二値データ用ズーム手段３はイメージデータ情報２が入力されると二値データ用のズーム処理を施して表示イメージデータを出力し、多値データ用ズーム手段４はイメージデータ情報２が入力されると多値データ用のズーム処理を施して表示イメージデータを出力する。キャラクタイメージ読書制御回路５は、設定された放送方式（例えばＰＡＬ方式）に則り、イメージデータのフォーマット（例えばＮＴＳＣ方式）に合わせて二値データ用ズーム手段３と多値データ用ズーム手段４を制御する。
【００３９】
ズーム方式切替制御情報（教示情報）６に応じて二値データ用ズーム手段３と多値データ用ズーム手段４からの表示イメージデータを選択する選択手段としてのズーム方式二切替手段７は、ズーム方式切替制御情報６を読み込み、現在ズーム処理中のイメージデータが、二値データなのか多値データなのかを自動判別し、その判別結果に応じて二値データ用ズーム手段３と多値データ用ズーム手段４からの表示イメージデータを選択して図示しない混合回路（混合手段）へ出力する。
【００４０】
なお、設定された放送方式とイメージデータのフォーマットが一致する場合には、各ズーム手段はズーム処理を施さずにイメージデータをそのまま出力し、ズーム方式二切替手段が任意のズーム手段からの表示イメージデータを選択して混合回路へ出力する。
【００４１】
以上のように構成されたＯＳＤ装置における、イメージデータに対してズーム処理を施す際の動作を以下に説明する。例えば、図３に示すような構成のキャラクタイメージ情報を読み出す場合、キャラクタイメージ読書制御回路５の指令に基づき、キャラクタイメージメモリ１から二値のイメージデータ９が二値データ用ズーム手段３と多値データ用ズーム手段４へ出力される。また同時に、キャラクタイメージ読書制御回路５の指令に基づき、イメージデータ情報が二値データであることを示す情報（１ビットの信号）８がズーム方式二切替手段７へ出力される。
【００４２】
二値データ用ズーム手段３と多値データ用ズーム手段４はそれぞれ二値のイメージデータ９に対しズーム処理を施す。
ズーム方式二切替手段７はズーム方式切替制御情報６に従い二値データ用ズーム手段３を通るルートを自動的に設定する。
【００４３】
イメージデータ情報が多値データの場合でも同様の処理が行われ、ズーム方式二切替手段７は多値データ用ズーム手段４を通るルートを自動的に設定する。
以上のように、本実施の形態１によれば、二値データと多値データといったイメージデータの種類に応じてズーム方式二切替手段がルートを自動的に切り替えることにより、最適なズーム処理を施した表示イメージデータを映像信号に重畳することができ、キャラクタイメージの品質の劣化を起こすことなくズーム処理を行うことができる。
【００４４】
なお、本実施の形態１では、ズーム方式二切替手段７が二値データ用ズーム手段３と多値データ用ズーム手段４からの表示イメージデータを選択する構成としたが、無論、ズーム方式ニ切替手段７が二値データ用ズーム手段３あるいは多値データ用ズーム手段４へのイメージデータの入力を選択する構成としてもよい。また、ズーム方式二切替手段７により二値データ用ズーム手段３と多値データ用ズーム手段４の一方の機能を停止する構成とするなどしてもよい。
【００４５】
また、本実施の形態１では、イメージデータ情報２とズーム方式切替制御情報６を一つのフォーマットとしたが、無論、別のメモリ空間に分けて格納するようにしてもよい。
また、本実施の形態１では、ズーム方式切替制御情報６をメモリから読み出す構成としたが、例えばイメージデータ情報をデコードしてズーム方式切替制御情報６を取り出す構成としてもよいし、イメージデータ情報２が二値データ又は多値データであることを判断してズーム方式切替制御情報６を生成するようにしてもよい。
【００４６】
また、本実施の形態１では、キャラクタイメージメモリに格納されているイメージデータとズーム方式切替制御情報を用いたが、無論、着脱可能なメモリや装置外部より入力されるイメージデータ及びズーム方式切替制御情報を用いるようにしてもよい。
【００４７】
（実施の形態２）
図４は本実施の形態２におけるＯＳＤ装置の要部の構成例を示すブロック図であり、図８に基づいて説明したフォーマット設定手段、ＭＰＵ、ビデオメモリ、混合回路（混合手段）については省略している。図４において、キャラクタイメージメモリ（イメージデータ格納部）１は読み出しと書き込みが可能なメモリであり、キャラクタイメージ情報が格納されている。
【００４８】
ここで、本実施の形態２におけるキャラクタイメージ情報のフォーマットについて図５を用いて説明する。図５に示すように、キャラクタイメージ情報は文字や図形のイメージデータ情報２および、イメージデータが二値データ又は輪郭強調処理が施されていない多値データ又は輪郭強調処理が施されている多値データであることを示す教示情報としてのズーム方式切替制御情報１２からなり、さらにズーム方式切替制御情報１２はデータ種情報１４、輪郭強調既済情報１５からなる。このように本実施の形態２では、イメージデータにズーム方式切替制御情報（教示情報）が付加されている。ここで、データ種情報１４はイメージデータ情報２が二値データ又は多値データであることを示す情報であり、輪郭強調既済情報１５はイメージデータに輪郭強調処理が施されているか否かを示す情報である。
【００４９】
また、図６はキャラクタイメージ情報の一例を示す。図６に示す例では、イメージデータ情報２は輪郭強調処理が施されている多値のイメージデータ１８である。また、データ種情報１４はそのイメージデータが多値データであることを示す情報１６であり、ここでは１ビットの信号である。また、輪郭強調既済情報１５はそのイメージデータが輪郭強調処理が施されているデータであることを示す情報１７であり、ここでは１ビットの信号である。このようにイメージデータが二値データ又は多値データであることを示す情報及びイメージデータに輪郭強調処理が施されているか否かを示す情報として各々１ビットの情報を用いることが好ましい。なお、無論、複数ビットの情報であっても実施可能である。
【００５０】
また、図５、６に示すように本実施の形態２においては、輪郭強調処理を施す必要があるイメージデータに対しては、イメージデータを作成する段階で輪郭強調処理を施しておき、そのイメージデータをキャラクタイメージメモリ１に格納するように構成することが好ましい。
【００５１】
キャラクタイメージ読書制御回路５は、キャラクタイメージメモリ１へのデータの読書を制御する。また、キャラクタイメージ読書制御回路５は、二値データ用ズーム手段３と輪郭強調不要多値データ用ズーム手段１０と輪郭強調既済多値データ用ズーム手段１１へはイメージデータ情報２のみが入力され、ズーム方式三切替手段１３へはその読み出したイメージデータ情報２に付加されているズーム方式切替制御情報１２のみが入力されるようにキャラクタイメージメモリ１を制御する。
【００５２】
本実施の形態２では、キャラクタイメージ読書制御回路５が、イメージデータが二値データ又は輪郭強調処理が施されていない多値データ又は輪郭強調処理が施されている多値データであることを示す教示情報としてのズーム方式切替制御情報１２を出力する教示情報出力手段および、イメージデータ格納部としてのキャラクタイメージメモリ１からイメージデータを読み出す読出制御手段に相当する。
【００５３】
二値データ用ズーム手段３はイメージデータ情報２が入力されると二値データ用のズーム処理を施して表示イメージデータを出力し、輪郭強調不要多値データ用ズーム手段１０はイメージデータ情報２が入力されると輪郭強調処理が施されていない多値データ用のズーム処理を施して表示イメージデータを出力し、輪郭強調既済多値データ用ズーム手段１１はイメージデータ情報２が入力されると輪郭強調処理が施されている多値データ用のズーム処理を施して表示イメージデータを出力する。キャラクタイメージ読書制御回路５は、設定された放送方式（例えばＰＡＬ方式）に則り、イメージデータのフォーマット（例えばＮＴＳＣ方式）に合わせて二値データ用ズーム手段３と輪郭強調不要多値データ用ズーム手段１０と輪郭強調既済多値データ用ズーム手段１１とを制御する。
【００５４】
ズーム方式切替制御情報（教示情報）１２に応じて二値データ用ズーム手段３と輪郭強調不要多値データ用ズーム手段１０と輪郭強調既済多値データ用ズーム手段１１からの表示イメージデータを選択する選択手段としてのズーム方式三切替手段１３は、ズーム方式切替制御情報１２を読み込み、現在ズーム処理中のイメージデータが、二値データなのか多値データなのか、多値データであれば輪郭強調処理が施されているか否かを自動判別し、その判別結果に応じて二値データ用ズーム手段３と輪郭強調不要多値データ用ズーム手段１０と輪郭強調既済多値データ用ズーム手段１１からの表示イメージデータを選択して図示しない混合回路（混合手段）へ出力する。
【００５５】
なお、設定された放送方式とイメージデータのフォーマットが一致する場合には、各ズーム手段はズーム処理を施さずにイメージデータをそのまま出力し、ズーム方式三切替手段が任意のズーム手段からの表示イメージデータを選択して混合回路へ出力する。
【００５６】
以上のように構成されたＯＳＤ装置における、イメージデータに対してズーム処理を施す際の動作を以下に説明する。例えば、図６に示すような構成のキャラクタイメージ情報を読み出す場合、キャラクタイメージ読書制御回路５の指令に基づき、キャラクタイメージメモリ１から輪郭強調処理が施されている多値のイメージデータ１８が二値データ用ズーム手段３と輪郭強調不要多値データ用ズーム手段１０と輪郭強調既済多値データ用ズーム手段１１へ出力される。また同時に、キャラクタイメージ読書制御回路５の指令に基づき、イメージデータ情報が多値データであることを示す情報（１ビットの信号）１６と輪郭強調処理が施されているデータであることを示す情報（１ビットの信号）１７がズーム方式三切替手段１３へ出力される。
【００５７】
二値データ用ズーム手段３と輪郭強調不要多値データ用ズーム手段１０と輪郭強調既済多値データ用ズーム手段１１は多値のイメージデータ１８に対しズーム処理を施す。
ズーム方式三切替手段１３はズーム方式切替制御情報１２に従い以下の表１に示す最適なズーム手段の出力を選択して出力する。この場合は、輪郭強調既済多値データ用ズーム手段１１を通るルートが選択される。
【００５８】
【表１】
2005203908.tif 000003
イメージデータ情報が二値データもしくは輪郭強調処理が施されていない多値データである場合にも同様の処理が行われ、ズーム方式三切替手段１３は二値データ用ズーム手段３もしくは輪郭強調不要多値データ用ズーム手段１０を通るルートを自動的に設定する。
【００５９】
以上のように、本実施の形態２によれば、輪郭強調が必要なイメージデータに対しては、イメージデータを作成する際に輪郭強調処理を施しておき、それをキャラクタイメージメモリに記録させるため、輪郭強調回路をデジタルスチルカメラシステム内に用意する必要がなくなる。また、二値データ、輪郭強調不要多値データ、輪郭強調既済多値データといったデータの種類に応じてズーム方式三切替手段がルートを自動的に切り替えることにより、最適なズーム処理を施した表示イメージデータを映像信号に重畳することができ、キャラクタイメージの品質の劣化を起こすことなくズーム処理を行うことができる。
【００６０】
なお、本実施の形態２では、ズーム方式三切替手段１３が各ズーム手段からの表示イメージデータを選択する構成としたが、無論、ズーム方式三切替手段１３が、各ズーム手段への入力を選択する構成としてもよい。また、ズーム方式三切替手段１３により３つのズーム手段のうちのいずれか２つの機能を停止する構成とするなどしてもよい。
【００６１】
また、本実施の形態２では、イメージデータ情報２とズーム方式切替制御情報１２を一つのフォーマットとしたが、無論、別のメモリ空間に分けて格納するようにしてもよい。
また、本実施の形態２では、ズーム方式切替制御情報１２をメモリから読み出す構成としたが、例えばイメージデータ情報をデコードしてズーム方式切替制御情報１２を取り出す構成としてもよいし、イメージデータ情報２が二値データ又は輪郭強調処理が施されていない多値データ又は輪郭強調処理が施されている多値データであることを判断してズーム方式切替制御情報１２を生成するようにしてもよい。
【００６２】
また、本実施の形態２では、キャラクタイメージメモリに格納されているイメージデータとズーム方式切替制御情報を用いたが、無論、着脱可能なメモリや装置外部より入力されるイメージデータ及びズーム方式切替制御情報を用いるようにしてもよい。
【００６３】
なお、本実施の形態１、２では動作を分かり易くするため、キャラクタイメージ読書制御回路とズーム手段を別構成としているが、間引きならばライン単位での削除、補間ならば前ライン読み出しの繰り返しで実現できるので、間引きや補間の処理は、ズーム手段として別に設けなくても、キャラクタイメージ読書制御回路によって、イメージデータ読み出しの際の読み出しアドレス制御を行うことによっても実現することができる。
【産業上の利用可能性】
【００６４】
本発明にかかるＯＳＤ装置は、異なる放送方式においても、二値データ・多値データといったデータの価値を壊すことなく、同等な画像品質で同等な形状及び大きさのキャラクタイメージを得ることができ、デジタルスチルカメラシステム以外に、デジタルビデオカメラ、ＤＶＤプレイヤー等のＯＳＤ装置部位にも応用できる。
【図面の簡単な説明】
【００６５】
【図１】本発明の実施の形態１におけるＯＳＤ装置の要部の構成例を示すブロック図
【図２】本発明の実施の形態１におけるキャラクタイメージ情報のフォーマットを説明するための図
【図３】本発明の実施の形態１におけるキャラクタイメージ情報の一例を説明するための図
【図４】本発明の実施の形態２におけるＯＳＤ装置の要部の構成例を示すブロック図
【図５】本発明の実施の形態２におけるキャラクタイメージ情報のフォーマットを説明するための図
【図６】本発明の実施の形態２におけるキャラクタイメージ情報の一例を説明するための図
【図７】従来のデジタルスチルカメラの構成例を示すブロック図
【図８】従来のＯＳＤ装置の構成例を示すブロック図
【符号の説明】
【００６６】
１      キャラクタイメージメモリ
２      イメージデータ情報
３      二値データ用ズーム手段
４      多値データ用ズーム手段
５      キャラクタイメージ読書制御回路
６、１２      ズーム方式切替制御情報
７      ズーム方式二切替手段
８      二値データであることを示す情報
９      二値のイメージデータ
１０      輪郭強調不要多値データ用ズーム手段
１１      輪郭強調既済多値データ用ズーム手段
１３      ズーム方式三切替手段
１４      データ種情報
１５      輪郭強調既済情報
１６      多値データであることを示す情報
１７      輪郭強調処理が施されていることを示す情報
１８      輪郭強調処理が施されている多値のイメージデータ
２１      固体撮像素子
２２      信号処理回路
２３      メモリコントロール回路
２４      データ圧縮伸張回路
２５      メモリカード
２６      ＯＳＤ回路
２７      ＲＧＢデコーダ
２８      画像表示部
２９      ＭＰＵ
３０      ビデオエンコーダ
３１      ビデオ出力端子
３２      テレビジョン受信器
４１      ビデオメモリ
４２      キャラクタイメージメモリ
４３      キャラクタイメージ読出制御回路
４４      混合回路
４５      フォーマット設定手段
４６      ズーム回路
４７      イメージデータ情報
４８      ＯＳＤ信号
【図１】
2005203908.tif 000004
【図２】
2005203908.tif 000005
【図３】
2005203908.tif 000006
【図４】
2005203908.tif 000007
【図５】
2005203908.tif 000008
【図６】
2005203908.tif 000009
【図７】
2005203908.tif 000010
【図８】
2005203908.tif 000011